(57)【要約】【課題】トタン葺き長尺屋根を剥がすことなく、トタン葺き長尺屋根に後付けでき、板金作業が不要で施工が容易な屋根用融雪装置及びその施工方法を提供する。【解決手段】ルーフヒーターを内蔵する融雪用発熱パネル１３と、長尺屋根１２の屋根板１４におけるハゼ部分１５を両挟持片３１，３２で挟持して締め付けボルト３３，３３によって固定される固定金具１６と、前方部分の押さえアーム体５２と、後方部分の連結部分５１とが一体に形成される板状体からなるパネル押さえアーム１７とを具備し、パネル押さえアーム１７の押さえアーム体５２によって、融雪用発熱パネル１３を長尺屋根１２の屋根板１４上に押えて保持し、固定金具１６によってハゼ部分１５を挟持すると共に、パネル押さえアーム１７の連結部分５１を固定することにより、融雪用発熱パネル１３を屋根板１４上に施工するように構成した屋根用融雪装置１１を提供する。【選択図】図１
2008240264.tif 000002
【特許請求の範囲】
【請求項１】
ルーフヒーターを内蔵する融雪用発熱パネルと、
少なくとも２個の締め付け用ボルト孔が夫々開穿された２つの挟持片と、前記締め付け用ボルト孔に挿入して、前記両挟持片を相互に締め付ける締め付けボルトとを備え、長尺屋根の屋根板におけるハゼ部分を前記両挟持片で挟持して前記締め付けボルトによって固定される固定金具と、
前方部分の押さえアーム体と、後方部分の連結部分とが一体に形成される板状体からなり、前記押さえアーム体は、下端に直角方向に延びる押さえ補助板が延設され、連結部分は、前記締め付け用ボルト孔に対応する位置をもって逆Ｕ字状のボルト貫入用の溝が開設されるパネル押さえアームとを具備し、
前記パネル押さえアームによって、前記融雪用発熱パネルを長尺屋根の屋根板上に押えて保持し、前記固定金具によって前記ハゼ部分を挟持すると共に、前記パネル押さえアームを固定することにより、前記融雪用発熱パネルを屋根板上に施工するように構成したことを特徴とする屋根用融雪装置。
【請求項２】
請求項１記載の屋根用融雪装置を、長尺屋根の軒先近傍部分、又は、スノーダクト方式の長尺屋根の排水溝近傍部分に施工する屋根用融雪装置の施工方法であって、
長尺屋根の軒先近傍部分、又は、長尺屋根の排水溝近傍部分の前記長尺屋根のハゼ部分の上面に於いて、前記融雪用発熱パネルの設置位置を決め、前記融雪用発熱パネルの設置位置の上方位置をもって並列状態の各ハゼ部分に前記締め付けボルトによって前記固定金具を取り付け、前記融雪用発熱パネルの設置位置に、前記融雪用発熱パネルを置き、次に前記固定金具の締め付けボルトを緩め、前記パネル押さえアームが前記融雪用発熱パネルを上方から押さえる状態にして前記パネル押さえアームの前記溝に前記締め付けボルトを貫入させ、前記締め付けボルトをボルト締めして、前記固定金具を前記ハゼ部分に取付けると共に、前記固定金具に前記パネル押さえアームを取付けることを特徴とする屋根用融雪装置の施工方法。
【請求項３】
請求項１記載の屋根用融雪装置を、長尺屋根の屋根頂部稜線近傍部分に施工する屋根用融雪装置の施工方法であって、
前記屋根頂部稜線近傍部分の前記長尺屋根のハゼ部分の上面に於いて、前記融雪用発熱パネルの設置位置を決め、前記融雪用発熱パネルの設置位置の下方位置をもって並列状態の各ハゼ部分に前記締め付けボルトによって前記固定金具を取り付け、前記融雪用発熱パネルの設置位置に、前記融雪用発熱パネルを置き、次に前記固定金具の締め付けボルトを緩め、前記パネル押さえアームが前記融雪用発熱パネルを上方から押さえる状態にして前記パネル押さえアームの前記溝に前記締め付けボルトを貫入させ、前記締め付けボルトをボルト締めして、前記固定金具を前記ハゼ部分に取付けると共に、前記固定金具に前記パネル押さえアームを取付けることを特徴とする屋根用融雪装置の施工方法。
【発明の詳細な説明】
【技術分野】
【０００１】
本発明は、トタン葺き屋根板を剥がすことなく屋根板の上面に、確実かつ簡単に設置できる屋根用融雪装置に関する。
【背景技術】
【０００２】
従来のスノーダクト方式の屋根は、図７に於いて、二点鎖線で示すように屋根１の屋根頂部稜線２部分や、排水溝３近傍部分に雪庇４が発生しやすい。
屋根１の屋根頂部稜線２部分に発生した雪庇は図８（ａ）に示すように、屋根頂部稜線２から、後方に突出して形成され、突出した雪庇が後方下方に落下する虞がある。
又、図８（ｂ）に示すように、屋根の排水溝３近傍部分に発生した雪庇は、排水溝３への水や雪の流れを止めてしまう虞がある。
【０００３】
更に、図８（ｃ）に示すように、三角屋根等の軒先５部分に発生した雪庇は、軒先５から前方、又は、下方に突出して形成され、突出した雪庇が前方下方に落下する虞がある。
【０００４】
そこで、従来、これらの雪庇が発生する箇所に融雪装置を施工し、融雪することにより雪庇の発生を防止している。
融雪装置には、一般にヒーターが用いられ、融雪装置の設置工事に於いては、屋根板の下にヒーター等を設置している。
本発明の先行文献としては、例えば、特許文献１がある。特許文献１には、既設の屋根全面に後付工法で敷設できる屋根用融雪装置が記載されている。
【特許文献１】特開２００４−６８４９２号公報
【発明の開示】
【発明が解決しようとする課題】
【０００５】
従来の技術には、一応下記のような問題点を指摘することができる。
ａ．従来の屋根融雪等の工事は、屋根板の下にヒーターなどを設置するために、工事等に於いて足場が必要となり、又、ヒーターの故障時に於いてメンテナンスのために板金作業を必要としていた。
ｂ．屋根板にハサミを入れて施工すると、軒先が凍結した時、すが漏りになりやすい。
ｃ．ヒーターを設置する時、屋根板をはがすと、屋根板が金属疲労を起こしやすく、折り曲げ部分や、金属疲労部分からサビ発生の虞がある。
【０００６】
以上の現状に鑑み、本発明の目的は、既設のトタン葺き長尺屋根を剥がすことなく、トタン葺き長尺屋根に後付けでき、板金作業が不要で施工が容易な屋根用融雪装置及びその施工方法を提供することを目的とする。
【課題を解決するための手段】
【０００７】
上記の課題を解決すべく、本発明は以下の構成を提供する。
請求項１に係る発明は、ルーフヒーターを内蔵する融雪用発熱パネルと、
少なくとも２個の締め付け用ボルト孔が夫々開穿された２つの挟持片と、前記締め付け用ボルト孔に挿入して、前記両挟持片を相互に締め付ける締め付けボルトとを備え、長尺屋根の屋根板におけるハゼ部分を前記両挟持片で挟持して前記締め付けボルトによって固定される固定金具と、
前方部分の押さえアーム体と、後方部分の連結部分とが一体に形成される板状体からなり、前記押さえアーム体は、下端に直角方向に延びる押さえ補助板が延設され、連結部分は、前記締め付け用ボルト孔に対応する位置をもって逆Ｕ字状のボルト貫入用の溝が開設されるパネル押さえアームとを具備し、
前記パネル押さえアームによって、前記融雪用発熱パネルを長尺屋根の屋根板上に押えて保持し、前記固定金具によって前記ハゼ部分を挟持すると共に、前記パネル押さえアームを固定することにより、前記融雪用発熱パネルを屋根板上に施工するように構成したことを特徴とする屋根用融雪装置を提供するものである。
【０００８】
請求項２に係る発明は、請求項１記載の屋根用融雪装置を、長尺屋根の軒先近傍部分、又は、スノーダクト方式の長尺屋根の排水溝近傍部分に施工する屋根用融雪装置の施工方法であって、
長尺屋根の軒先近傍部分、又は、長尺屋根の排水溝近傍部分の前記長尺屋根のハゼ部分の上面に於いて、前記融雪用発熱パネルの設置位置を決め、前記融雪用発熱パネルの設置位置の上方位置をもって並列状態の各ハゼ部分に前記締め付けボルトによって前記固定金具を取り付け、前記融雪用発熱パネルの設置位置に、前記融雪用発熱パネルを置き、次に前記固定金具の締め付けボルトを緩め、前記パネル押さえアームが前記融雪用発熱パネルを上方から押さえる状態にして前記パネル押さえアームの前記溝に前記締め付けボルトを貫入させ、前記締め付けボルトをボルト締めして、前記固定金具を前記ハゼ部分に取付けると共に、前記固定金具に前記パネル押さえアームを取付けることを特徴とする屋根用融雪装置の施工方法を提供するものである。
【０００９】
請求項３に係る発明は、請求項１記載の屋根用融雪装置を、長尺屋根の屋根頂部稜線近傍部分に施工する屋根用融雪装置の施工方法であって、
前記屋根頂部稜線近傍部分の前記長尺屋根のハゼ部分の上面に於いて、前記融雪用発熱パネルの設置位置を決め、前記融雪用発熱パネルの設置位置の下方位置をもって並列状態の各ハゼ部分に前記締め付けボルトによって前記固定金具を取り付け、前記融雪用発熱パネルの設置位置に、前記融雪用発熱パネルを置き、次に前記固定金具の締め付けボルトを緩め、前記パネル押さえアームが前記融雪用発熱パネルを上方から押さえる状態にして前記パネル押さえアームの前記溝に前記締め付けボルトを貫入させ、前記締め付けボルトをボルト締めして、前記固定金具を前記ハゼ部分に取付けると共に、前記固定金具に前記パネル押さえアームを取付けることを特徴とする屋根用融雪装置の施工方法を提供するものである。
【発明の効果】
【００１０】
本発明は、上述のように構成されているので、下記のような効果を期待することができる。
ａ．従来の屋根融雪等の工事には板金施工の屋根板の下にヒーター等を設置するために、工事等の足場が必要であり、又、ヒーターが故障した時のメンテナンスに板金作業を必要としていたが、本発明は、板金職人等の特殊な技術が必要なくなり、電気工事以外は、誰でも簡単に施工できる。
ｂ．従来は屋根板を剥がす作業時に折れ目や切れ目が発生するが、本発明では屋根板を剥がすことなく、ハサミが入らないために、切れ目がなく、折り目もないため、トタンの劣化や金属疲労が発生しない。従って、トタンの腐食を防止することができる。
又、トタン葺き替え時等に本発明の装置は取外しが簡単であり、増設も簡単であるので、スノーダクトの雪庇防止工事や、三角屋根の簡易ダクト工事等、幅広い用途が期待できる。
ｃ．屋根板をはがさず、足場も不要な状態で施工でき、あらゆるメーカーの融雪ヒーターを屋根の上に簡単に設置することが可能になる。又、融雪ヒーター交換も板金作業を必要としない。
【発明を実施するための最良の形態】
【００１１】
以下、実施例を示した図面を参照しつつ本発明の実施の形態を説明する。尚、説明の都合上、従来例と同一構成部分については同一符号を付してその説明を省略する。
図１に於いて、１１は本発明の第１発明である屋根用融雪装置を示す。
屋根用融雪装置１１は、例えば、公知のスノーダクト方式のトタン葺き長尺屋根１２に施工される融雪用発熱パネル１３と、長尺屋根１２の屋根板１４におけるハゼ部分１５に固定する固定金具１６と、パネル押さえアーム１７とから構成されている。
【００１２】
融雪用発熱パネル１３は、図２に示すように、公知のルーフヒーター２１を内蔵する上端開放の箱状のパネル本体２２とパネル本体２２の上面に着脱自在に設けられる下端開放の箱状のカバー２３とからなり、パネル本体２２の底面は網目状に形成されている。
尚、前記ルーフヒーター２１はパラコンヒーターに代えることも可能である。
【００１３】
前記固定金具１６は、図１及び図３（ａ）及び（ｂ）に示すように、ハゼ部分１５を中心として挟む、一方の挟持片３１と他方の挟持片３２と締め付けボルト３３，３３から構成されている。
一方の挟持片３１は、ハゼ部分１５の側面への当接部分３４とこの当接部分３４の上方に向け連接された延長部分３５とから構成され、延長部分３５に２個の締め付け用ボルト孔３６，３６が開穿されている。尚、延長部分３５の後端に延長部分３５と直交して延設する雪止め用の雪止め部３７を設けても良い。
【００１４】
他方の挟持片３２は、ハゼ部分１５の側面への当接部分３８とこの当接部分３８の上端に上方に向け連接された延長部分３９とから構成され、延長部分３９に２個の締め付け用ボルト孔（図示せず）が開設されている。尚、延長部分３９の後端に延長部分３９と直交して延設する雪止め用の雪止め部４０を設けても良い。
【００１５】
ハゼ部分１５を、一方の挟持片３１と他方の挟持片３２で挟み、締め付けボルト３３で緊蹄することで、当該ハゼ部分１５に固定金具１６を取り付け固定することができる。
【００１６】
パネル押さえアーム１７は、図３（ｃ）乃至（ｅ）に示すように、細幅状の板体で形成され、その後方部分は連結部分５１、その余の前方部分は押さえアーム体５２として構成される。
連結部分５１には前記固定金具１６に於ける２個の締め付け用ボルト孔３６，３６に対応する位置をもって逆Ｕ字状のボルト貫入用の溝５３，５３が開設され、押さえアーム体５２の下端には水平方向に延びる押さえ補助板５４が延設されている。
【００１７】
パネル押さえアーム１７における押さえアーム体５２の下面と押さえ補助板５４が、融雪用発熱パネル１３を上方から押さえることになる。
【００１８】
尚、パネル押さえアーム１７の取り付け状態は次のとおりである。
固定金具１６における締め付けボルト３３を緩めたのち、パネル押さえアーム１７のボルト貫入用の溝５３，５３を締め付けボルト３３，３３に上方から嵌め込み、再度締め付けボルト３３，３３を締め付ける。
【００１９】
図４及び図５は、本発明の第２発明である前記屋根用融雪装置１１の施工方法を示すものであり、前記屋根用融雪装置１１を、軒先５近傍部分あるいはスノーダクト方式の屋根における排水溝３近傍部分に設置する場合を示している。
本発明の第２発明である屋根用融雪装置１１の施工方法は、下記の各工程から成る。
（１）第１工程
屋根１の軒先５近傍部分におけるハゼ部分１５の上面に、融雪用発熱パネル１３の設置位置を決め、融雪用発熱パネル１３の設置位置の上方位置をもって並列状態の各ハゼ部分１５に締め付けボルト３３，３３により固定金具１６を取り付ける。尚、排水溝３近傍部分に施工する場合も同様に処理する。
（２）第２工程
融雪用発熱パネル１３の設置位置に、図２に示した融雪用発熱パネル１３のパネル本体２２を置き、内部にルーフヒーター２１を配設したのちカバー２３を被せる。
（３）第３工程
次に、各固定金具１６の締め付けボルト３３，３３を緩めて、パネル押さえアーム１７が融雪用発熱パネル１３を上方から押さえる状態となるように、締め付けボルト３３，３３によって固定金具１６にパネル押さえアーム１７を取り付ける。この時、固定金具１６は、同時にハゼ部分１５を挟持してハゼ部分１５に固定される。
尚、融雪用発熱パネル１３は、パネル押さえアーム１７に押えられるが、適宜、ピアスビス５５を用いて、融雪用発熱パネル１３とパネル押さえアーム１７とを固定する。
【００２０】
図６は、本発明の第３発明である前記屋根用融雪装置１１の施工方法を示すものであり、前記屋根用融雪装置１１を、スノーダクト方式の長尺屋根等の屋根頂部稜線２近傍部分に設置する場合を示している。
本発明の第３発明である屋根用融雪装置１１の施工方法は、下記の各工程から成る。
（１）第１工程
屋根１の屋根頂部稜線２近傍部分におけるハゼ部分１５の上面に融雪用発熱パネル１３の設置位置を決め、当該融雪用発熱パネル１３の設置位置の下方位置をもって並列状態の各ハゼ部分１５に、締め付けボルト３３，３３により固定金具１６を取り付ける。
（２）第２工程
融雪用発熱パネル１３の設置位置に、図２に示した融雪用発熱パネル１３のパネル本体２２を置き、内部にルーフヒーター２１を配設したのちカバー２３を被せる。
（３）第３工程
次に、各固定金具１６の締め付けボルト３３，３３を緩めて、パネル押さえアーム１７が融雪用発熱パネル１３を上方から押さえる状態となるように、締め付けボルト３３，３３によって固定金具１６にパネル押さえアーム１７を取り付ける。この時、固定金具１６は、同時にハゼ部分１５を挟持してハゼ部分１５に固定される。
尚、融雪用発熱パネル１３は、パネル押さえアーム１７に押えられるが、適宜、ピアスビス５５を用いて、融雪用発熱パネル１３とパネル押さえアーム１７とを固定する。
【図面の簡単な説明】
【００２１】
【図１】本発明の第１発明による屋根用融雪装置の斜視図である。
【図２】本発明の融雪用発熱パネルの斜視図である。
【図３】（ａ）本発明の固定金具の平面図である。（ｂ）本発明の固定金具の正面図である。（ｃ）本発明のパネル押えアームの平面図である。（ｄ）本発明のパネル押えアームの側面図である。（ｅ）本発明のパネル押えアームの平面図である。
【図４】（ａ）本発明の第２発明の屋根用融雪装置の施工方法による軒先近傍部分の施工例の正面図である。（ｂ）前図４（ａ）の側面図である。
【図５】本発明の第２発明の屋根用融雪装置の施工方法による排水溝近傍部分の施工例の正面図である。
【図６】本発明の第３発明による屋根用融雪装置の施工方法による屋根稜線近傍部分の施工例の正面図である。
【図７】従来例のスノーダクト方式の屋根に於ける雪庇の発生の状態を示す斜視図である。
【図８】（ａ）屋根稜線近傍部分の雪庇の発生状態を示す斜視図である。（ｂ）排水溝近傍部分の雪庇の発生状態を示す斜視図である。（ｃ）軒先近傍部分の雪庇の発生状態を示す斜視図である。
【符号の説明】
【００２２】
２  屋根頂部稜線
３  排水溝
５  軒先
１１  屋根用融雪装置
１２  長尺屋根
１３  融雪用発熱パネル
１４  屋根板
１５  ハゼ部分
１６  固定金具
１７  パネル押さえアーム
２１  ルーフヒーター
３１，３２  挟持片
３３  締め付けボルト
３６  締め付け用ボルト孔
５１  連結部分
５２  押さえアーム体
５３  溝
５４  押さえ補助板
【図１】
2008240264.tif 000003
【図２】
2008240264.tif 000004
【図３】
2008240264.tif 000005
【図４】
2008240264.tif 000006
【図５】
2008240264.tif 000007
【図６】
2008240264.tif 000008
【図７】
2008240264.tif 000009
【図８】
2008240264.tif 000010